【事件の表示】
　平成　４年特許願第１３８４６７号「ディスクセンタリング機構」拒絶査定に対する審判事件〔平成　５年１２月１７日出願公開、特開平　５−３３４７７９、請求項の数（１）〕について、次のとおり審決する。
【結　論】
　原査定を取り消す。
　本願の発明は、特許すべきものとする。
【理　由】
１．手続の経緯・本願発明
　本願は、平成４年５月２９日の出願であって、その請求項１に係る発明は、平成１２年１１月６日付及び平成１３年２月８日付手続補正書により補正された明細書及び図面の記載から見て、特許請求の範囲の請求項１に記載された次のとおりのものと認める。（以下「本願発明」という。）
　【請求項１】　モータ駆動により回動される回動軸の先端側に設けられ、ディスクが載置されると共に上記回動に伴い上記ディスクと共に回動するディスクテーブルと、
　上記ディスクテーブルの中央部より上記載置されるディスク側に突出するように設けられる軸部と、
　上記軸部に嵌合されるリング部と、当該リング部の外周から上記ディスクテーブル側に放射状に突出される複数の脚部とを有し、上記ディスクの中心孔が上記複数の脚部の外周面に当接されることにより上記ディスクをセンタリングするセンタリング部材と、
　上記ディスクテーブルと上記センタリング部材との間に設けられ、上記センタリング部材を上記軸部の先端側に付勢するバネ部材と、
　上記軸部の先端側に設けられ、上記バネ部材により付勢される上記センタリング部材の、当該付勢方向への移動を規制する規制部と、
　上記ディスクが上記ディスクテーブルに装着される際、上記ディスクの中心孔が上記複数の脚部の外周面に当接されることにより、上記付勢力に反して上記ディスクテーブル側に移動されるセンタリング部材の上記脚部の先端が侵入可能に設けられる、上記ディスクテーブルに形成される切欠部と、を備え、
　上記ディスクテーブル側に移動される上記センタリング部材の上記脚部の先端は、上記バネ部材により付勢されて上記ディスクテーブルの上面の上方に位置していて、センタリング時に上記脚部の先端は、上記切欠部を通過し上記ディスクテーブルの下面から突出する位置まで移動可能になっていることを特徴とするディスクセンタリング機構。
　
２．原査定の拒絶の理由
　これに対して、原査定の拒絶の理由の概要は、この出願の発明は下記の刊行物に記載された発明であるかまたはそれらから当業者が容易に発明をすることができたものと認められるので、特許法第２９条第１項第３項に該当し、あるいは、同法第２９条第２項の規定により、特許を受けることができないというものである。
　
３．引用刊行物
　原査定の拒絶の理由に引用された刊行物および前置報告に記載された刊行物には、次の事項からなる発明が記載されている。
（１）実願昭６０−１５３０２７号（実開昭６２−６１０４４号）のマイクロフィルム（以下「引用刊行物１」という。）
　「中心部にテーパスライダ嵌合用の凹部が形成され且つ当該凹部の底部周辺付近に複数個の切欠穴が穿設されるとともにモーター軸に固定されているターンテーブルと、中心部にモーター軸貫挿用の孔を穿設した軸スライド部、該軸スライド部の外周に一体に成型された円錐体形状のテーパー部、当該テーパー部を複数個に分割する切欠溝部、当該切欠溝部に前記軸スライド部から斜下方に向って一体成形された複数個のバネ状部、前記テーパー部下端から下方に向って突出させた複数個の鉤状部とを有するテーパースライダとからなり、当該テーパースライダが前記モーター軸に摺動可能に貫挿されるとともに鉤状部を前記ターンテーブル中心凹部の底部に設けた切欠穴に挿通して鉤状部の先端を底部裏面に引っ掛け、前記バネ状部先端をターンテーブル中心凹部の底部に当接させてその弾性力によって持上げることによりターンテーブル中心凹部内上方に保持されていることを特徴とするターンテーブル装置」（実用新案登録請求の範囲）
　
（２）実願昭６０−７２２１号（実開昭６１−１２６４４７号）のマイクロフィルム（以下「引用刊行物２」という。）
　「センターボスの中心孔にモーターのシャフトが嵌挿され、該センターボスに複数の脚部を弾性的に一体成形し、該脚部の先端部がターンテーブルの凹部に設けられた孔部に挿通され、脚部先端のフックで係止されており、且つ、センターボスとターンテーブルの凹部底面との間に介装されたスプリングによりセンターボスが上方に付勢されていることを特徴とするディスクセンター出し装置。」（実用新案登録請求の範囲）
　
（３）特開平２−１６５４６２号公報（以下「引用刊行物３」という。）
　「ディスクを載置するターンテーブルと、ディスク芯出しのための斜面を備えたターンテーブル上部でスピンドルに沿って上下動してディスク芯出しを行う芯出し部材と、ターンテーブル下部でスピンドルに沿って上下動可能に配されたガイドピースと、前記芯出し部材をターンテーブル上方向に付勢する付勢部材とを備え、上記芯出し部材とがガイド部材とをターンテーブルを貫通し結合させ一体となって上下動可能に構成したことを特徴とするディスク装着装置。」（特許請求の範囲）
　
（４）実願昭５６−１３３８０１号（実開昭５８−３９７８９号）のマイクロフィルム（以下「引用刊行物４」という。）
　「スピンドルと、該スピンドルに取り付けられる案内部材と、前記スピンドルもしくは前記案内部材に対して取り付けられるターンテーブルと、前記案内部材にて案内されて上下方向に摺動可能であり且つディスクの孔に当接するテーパー部を有するセンタリングハブと、該センタリングハブを上方向へ押圧する板バネと、前記案内部材と着脱可能なクランプと、該クランプ及び前記案内部材の一方に装着されたマグネットと、前記クランプ及び案内部材の他方に装着され且つ前記マグネットに吸着されるマグネット或いは磁性材とを備えたことを特徴とするディスククランプ装置」（実用新案登録請求の範囲）
　
（５）昭和１５年実用新案出願公告第１４０５０号公報（以下「周知例」という。）
　「図面ニ示ス如ク回転板ノ中心部ニ凹部ヲ設ケ其中心ニ中心栓ヲ固定シ凹部内ニ中心栓ヲ中心トシテ円形勾配盤及発條ヲ遊設シ中心栓ノ上部ニ設ケタル螺子ニ加圧盤ヲ脱着自在ニ螺着スヘク成シタル円板式録音機ニ於ケル録音板固定装置ノ構造」（登録請求の範囲）　
４．対比・判断
　上記引用刊行物１〜４および周知例に記載された発明と本願発明とを比較すると、引用刊行物１〜４および周知例に記載された発明は、いずれも本願発明の構成に欠くことのできない事項である「ディスクの中心孔が複数の脚部の外周面に当接されることにより上記ディスクをセンタリングするセンタリング部材」が、「リング部の外周からディスクテーブル側に放射状に突出される複数の脚部とを有し」「上記ディスクテーブル側に移動される上記センタリング部材の上記脚部の先端は、上記バネ部材により付勢されて上記ディスクテーブルの上面の上方に位置していて、センタリング時に上記脚部の先端は、上記切欠部を通過し上記ディスクテーブルの下面から突出する位置まで移動可能になっている」という構成を有しておらず、かつ、いずれも、センタリング機能を有する傾斜部がセンタリング部材を付勢するバネを支持する基部より下へ移動可能な構成を有していないので、センタリング時に上記脚部の先端は、上記切欠部を通過し上記ディスクテーブルの下面から突出する位置まで移動可能とする構成を示唆するものでもない。そして、本願発明は、上記特有の構成を有することにより、明細書の段落【００２７】に記載されたとおりの、従来のようにディスクセンタリング機構乃至ディスクドライブを厚型化、大型化することなく、芯出し部材の上下動ストロークを増大させ、これにより、ディスクの芯出し孔の孔径のバラツキが大きい場合でも確実にセンタリングを行うことができるという特有の効果を奏するものと認められる。
　
５．むすび
　以上のとおりであるから、本願発明は、原査定の理由によっては拒絶することができない。また他に拒絶の理由を発見しない。
　よって、結論のとおり審決する。